【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】
複数の走査光学系を主走査方向に配列した構成の光走査装置において、
前記走査光学系として、変調駆動される光源と、該光源からの光束を偏向する偏向手段と、該偏向手段からの光束を被走査面に導く少なくとも主走査方向にパワーを有する走査レンズとを有する走査光学系を備え、
該走査光学系の偏向手段で偏向された光束を、前記走査レンズを通過させずに検出する第１の受光手段を備えることを特徴とする光走査装置。
【請求項２】
請求項１記載の光走査装置において、
前記走査レンズを通過させた光束を検出する第２の受光手段を備えることを特徴とする光走査装置。
【請求項３】
請求項１または２記載の光走査装置において、
前記偏向手段から第１の受光手段に至る光路中に主走査方向にパワーを有する光学素子を配備し、なおかつ前記光学素子の光軸近傍を光束が通過することを特徴とする光走査装置。
【請求項４】
請求項１または２または３記載の光走査装置において、
偏向手段から第１の受光手段に至る光路中に光束幅を規制する手段を有することを特徴とする光走査装置。
【請求項５】
複数の走査光学系を偏向手段に対向して配備した構成の光走査装置において、
前記走査光学系として、変調駆動される光源と、前記偏向手段からの光束を被走査面に導く走査結像手段とを有する走査光学系を備え、
前記被走査面への書き込みを開始するのに先立ち前記走査光学系の偏向手段で偏向された光束を検出する受光手段を有し、前記受光手段として、前記偏向手段からの光束を、前記走査結像手段を通過させずに検出する第１の受光手段を備えることを特徴とする光走査装置。
【請求項６】
複数の走査光学系を偏向手段に対向して配備した構成の光走査装置において、
前記走査光学系として、変調駆動される光源と、前記偏向手段からの光束を被走査面に導く走査結像手段とを有する走査光学系を備え、
前記被走査面への書き込みを開始するのに先立ち前記走査光学系の偏向手段で偏向された光束を検出する受光手段を有し、前記受光手段として、前記偏向手段からの光束を、前記走査結像手段を通過させずに検出する第１の受光手段と、前記走査結像手段を通過させた光束を検出する第２の受光手段とを備えることを特徴とする光走査装置。
【請求項７】
請求項５または６記載の光走査装置において、
前記偏向手段から第１の受光手段に至る光路中に主走査方向にパワーを有する光学素子を配備し、なおかつ前記光学素子の光軸近傍を光束が通過することを特徴とする光走査装置。
【請求項８】
請求項５または６または７記載の光走査装置において、
前記偏向手段から第１の受光手段に至る光路中に光束幅を規制する手段を有することを特徴とする光走査装置。
【請求項９】
光走査装置を用いて被走査面である像担持体上に光束を照射して潜像を書き込み、該潜像を現像剤で現像して顕像化し、該顕像を記録材に転写する作像部を備えた画像形成装置において、
前記光走査装置として、請求項１〜８の何れか一つに記載の光走査装置を用いたことを特徴とする画像形成装置。
【手続補正２】
【補正対象書類名】明細書
【補正対象項目名】０００７
【補正方法】変更
【補正の内容】
【０００７】
【課題を解決するための手段】
上記目的を達成するため、請求項１に係る発明は、複数の走査光学系を主走査方向に配列した構成の光走査装置において、前記走査光学系として、変調駆動される光源と、該光源からの光束を偏向する偏向手段と、該偏向手段からの光束を被走査面に導く少なくとも主走査方向にパワーを有する走査レンズとを有する走査光学系を備え、該走査光学系の偏向手段で偏向された光束を、前記走査レンズを通過させずに検出する第１の受光手段を備えることを特徴とするものである。
【手続補正３】
【補正対象書類名】明細書
【補正対象項目名】０００９
【補正方法】変更
【補正の内容】
【０００９】
請求項５に係る発明は、複数の走査光学系を偏向手段に対向して配備した構成の光走査装置において、前記走査光学系として、変調駆動される光源と、前記偏向手段からの光束を被走査面に導く走査結像手段とを有する走査光学系を備え、前記被走査面への書き込みを開始するのに先立ち前記走査光学系の偏向手段で偏向された光束を検出する受光手段を有し、前記受光手段として、前記偏向手段からの光束を、前記走査結像手段を通過させずに検出する第１の受光手段を備えることを特徴とするものである。
【手続補正４】
【補正対象書類名】明細書
【補正対象項目名】００１０
【補正方法】変更
【補正の内容】
【００１０】
請求項６に係る発明は、複数の走査光学系を偏向手段に対向して配備した構成の光走査装置において、前記走査光学系として、変調駆動される光源と、前記偏向手段からの光束を被走査面に導く走査結像手段とを有する走査光学系を備え、前記被走査面への書き込みを開始するのに先立ち前記走査光学系の偏向手段で偏向された光束を検出する受光手段を有し、前記受光手段として、前記偏向手段からの光束を、前記走査結像手段を通過させずに検出する第１の受光手段と、前記走査結像手段を通過させた光束を検出する第２の受光手段とを備えることを特徴とするものである。
【手続補正５】
【補正対象書類名】明細書
【補正対象項目名】００１５
【補正方法】変更
【補正の内容】
【００１５】
ここで、図２に示す構成の光走査装置においては、書き込み開始のタイミングを検出する受光手段２０Ａ，２０Ｂが設けられており、書き込みを開始する前の光束は、それぞれ走査レンズ１６Ａ，１６Ｂと折り返しミラー１９Ａ，１９Ｂを介してフォトダイオード（ＰＤ）等からなる受光手段２０Ａ，２０Ｂで検知される。そして、受光手段２０Ａ，２０Ｂで信号を検知してから一定時間後に被走査面１８上への書き込みが開始される。
【手続補正６】
【補正対象書類名】明細書
【補正対象項目名】００２４
【補正方法】変更
【補正の内容】
【００２４】
ここで、図６に示す構成の光走査装置においては、書き込み開始のタイミングを検出する受光手段４２Ａ，４２Ｂが設けられており、書き込みを開始する前の光束は、それぞれ第１走査レンズ３７Ａ，３７Ｂと第２走査レンズ３８Ａ，３８Ｂからなる走査結像手段を介してフォトダイオード（ＰＤ）等からなる受光手段４２Ａ，４２Ｂで検知される。そして、受光手段４２Ａ，４２Ｂで信号を検知してから一定時間後に被走査面４０Ａ，４０Ｂ上への書き込みが開始される。
【手続補正７】
【補正対象書類名】明細書
【補正対象項目名】００４１
【補正方法】変更
【補正の内容】
【００４１】
【発明の効果】
以上説明したように、請求項１記載の光走査装置では、走査光学系として、変調駆動される光源と、該光源からの光束を偏向する偏向手段と、該偏向手段からの光束を被走査面に導く少なくとも主走査方向にパワーを有する走査レンズとを有する走査光学系を備え、該走査光学系の偏向手段で偏向された光束を、前記走査レンズを通過させずに検出する第１の受光手段を備えることにより、光源に波長とびが発生しても繋ぎ目での相対的な主走査ドット位置ずれを低減でき、繋ぎ目における濃度むらを低減することができる。
【手続補正８】
【補正対象書類名】明細書
【補正対象項目名】００４３
【補正方法】変更
【補正の内容】
【００４３】
請求項５記載の光走査装置では、走査光学系として、変調駆動される光源と、前記偏向手段からの光束を被走査面に導く走査結像手段とを有する走査光学系を備え、前記被走査面への書き込みを開始するのに先立ち前記走査光学系の偏向手段で偏向された光束を検出する受光手段を有し、前記受光手段として、前記偏向手段からの光束を、前記走査結像手段を通過させずに検出する第１の受光手段を備えることにより、温度変動や波長とびによる相対的な主走査ドット位置ずれを低減でき、色ずれを低減することができる。
【手続補正９】
【補正対象書類名】明細書
【補正対象項目名】００４４
【補正方法】変更
【補正の内容】
【００４４】
請求項６記載の光走査装置では、走査光学系として、変調駆動される光源と、前記偏向手段からの光束を被走査面に導く走査結像手段とを有する走査光学系を備え、前記被走査面への書き込みを開始するのに先立ち前記走査光学系の偏向手段で偏向された光束を検出する受光手段を有し、前記受光手段として、前記偏向手段からの光束を、前記走査結像手段を通過させずに検出する第１の受光手段と、前記走査結像手段を通過させた光束を検出する第２の受光手段とを備えることにより、温度変動による相対的な主走査ドット位置ずれを低減でき、色ずれを低減することができる。